(57)【要約】      （修正有）【課題】ロールブラインドのロールブラインド幕が窓を覆った時、左右に出来る隙間を閉じる事によって、光の漏れを防ぐ事と、断熱効果を上げる事が出来るロールブラインド幕装置を提供する。【解決手段】巻取り軸６にブラインド幕１を繰り出し及び巻取り自在に巻着すると共に、巻取り軸６両端部にはブラインド幕１を繰り出したときにブラインド幕１の幅方向端部を誘導可能なガイド溝付きの１対のサイドガイド枠２を配設してあり、前記ガイド溝の内部に設けた複数の回転自在な歯車の歯先部と、ブラインド幕１の幅方向端部に上下方向１列に設けた複数のガイド穴とが嵌合可能にしてあることを特徴とする。【選択図】図１
0003215017.tif 000002
【実用新案登録請求の範囲】
【請求項１】
巻取り軸にブラインド幕を繰り出し及び巻取り自在に巻着すると共に、前記巻取り軸両端部には前記ブラインド幕を繰り出したときにブラインド幕の幅方向端部を誘導可能なガイド溝付きの１対のサイドガイド枠を配設してあり、前記ガイド溝の内部に設けた複数の回転自在な歯車の歯先部と、前記ブラインド幕の幅方向端部に上下方向１列に設けた複数のガイド穴とが嵌合可能にしてあることを特徴とするロールブラインド幕装置。
【考案の詳細な説明】
【技術分野】
【０００１】  本考案はロールブラインド幕装置に関する。
【背景技術】
【０００２】  一般のロールブラインドは、家庭や会社の窓に沿って幕で覆う構造で知られている。
一般に窓に設けられた装置をロールブラインドと呼ばれている。この窓には、上下に開閉式のロールブラインド幕が配置され、日光が強い場合や眩しい場合に窓から光が室内に入射しないようにしている。開閉式のロールブラインドとしては、幕状のものを窓面に沿ってスライドさせるスライド式のものが一般的である。しかしながら、スライド式のロールブラインドは、それ自体の左右が開いてしまい、光が漏れ、断熱効果も無い。それを防ぐ事によって解決する装置である。
【先行技術文献】
【特許文献】
【０００３】
【特許文献１】特開２０１６−１９９９７９号公報
【特許文献２】特開２００８−１８４８５７号公報
【特許文献３】特開２００６−１８８８６７号公報
【考案の概要】
【考案が解決しようとする課題】
【０００４】  従来のロールブラインドは、ロールブラインド幕が窓を覆った時、左右に隙間ができ、光が漏れてしまう。【０００５】  前記のロールブラインドは、ロールブラインド幕が窓を覆った時、左右に隙間ができ、断熱効果が無い。
さらなる改善が求められている。
【課題を解決するための手段】
【０００６】  本考案のロールブラインド幕装置は、巻取り軸にブラインド幕を繰り出し及び巻取り自在に巻着すると共に、前記巻取り軸両端部には前記ブラインド幕を繰り出したときにブラインド幕の幅方向端部を誘導可能なガイド溝付きの１対のサイドガイド枠を配設してあり、前記ガイド溝の内部に設けた複数の回転自在な歯車の歯先部と、前記ブラインド幕の幅方向端部に上下方向１列に設けた複数のガイド穴とが嵌合可能にしてあることを特徴とする。
【考案の効果】
【０００７】  前記ロールブラインド幕１とサイドガイド枠２を嵌合する。それにより光が漏れ無い。【０００８】  前記のロールブラインド幕１とサイドガイド枠２を嵌合する事で、冷暖房の効果も格段と上る。【０００９】  本考案のロールブラインド幕装置Ａは、図１に示すように形成されている。
【図面の簡単な説明】
【００１０】
【図１】  本考案のロールブラインド幕装置の一実施形態の全体概要を示す斜視図である。
【図２】  本考案のロールブラインド幕装置が窓枠に取り付けられた窓枠の上部を示す図１の左側面面図である。
【図３】  ロールブラインド幕の両端部に複数のガイド穴を施した形態を示す正面図である。
【図４】  ロールブラインド幕の複数のガイド穴に複数の歯車が９０度で嵌合した状態を示す縦断側面図である。
【図５】  ロールブラインド幕の両端部に図４に示す歯車を支承するサイドガイド枠を配設した横断面図である。
【図６】  ロールブラインド幕の複数のガイド穴に複数の歯車が左右に９０度で嵌合した状態を示す縦断側面図である。
【図７】  ロールブラインド幕の両端部に図６に示す歯車を支承するサイドガイド枠を配設した横断面図である。
【図８】  ロールブラインド幕と歯車が９０度に嵌合した状態を示す斜視図である。
【図９】  （ａ）〜（ｆ）は形状の異なる歯車を複数示す正面図である。
【考案を実施するための形態】
【００１１】  本考案においては、図１および図２に示すように、一般的なロールブラインド幕１を窓枠Ａ１に固定して使用する。
【００１２】  前記のロールブラインド幕１を巻く巻取り軸６を窓枠Ａ１に固定して使用する。
【００１３】  図３に示すように、前記のロールブラインド幕１の幅方向端部に上下方向１列に設けた複数のガイド穴４が開けてある。
【００１４】  具体的には、前記のロールブラインド幕１の幅方向端部には縦約４ｍｍ×幅約１．５ｍｍのガイド穴４を６〜８ｍｍ間隔で上下に施してある。
【００１５】  前記のロールブラインド幕１の材質は、布、ポリエステル、合成皮等が有り、厚さも０．１０ｍｍ〜０．４５ｍｍと様々である。
【００１６】  本考案のロールブラインド幕装置Ａのサイドガイド枠２には、図５に示すように、ガイド溝５が形成されている。
【００１７】  前記のロールブラインド幕装置Ａのサイドガイド枠２には、歯車３が複数内蔵されている。
【００１８】  前記のロールブラインド幕装置Ａは、ロールブラインド幕１の両端部にサイドガイド枠２を付帯するものであり、ロールブラインド幕１を上下移動可能に挟むガイド溝５を形成してあり、かつ、当該装置には、前記ロールブラインド幕１に設けたガイド穴４と嵌合する歯車３を設けてある。
【００１９】  前記の歯車３の大きさは、直径１０ｍｍ〜２５ｍｍ位でロールブラインド幕１の材質に合わせて歯車３の大きさを変えて使用する。
【００２０】  前記の歯車３の形状も歯車３の爪が６〜１０本と様々である（図９参照）。
【００２１】  前記ロールブラインド幕装置Ａにおいては、ロールブラインド幕１のガイド穴４と歯車３を嵌合する。
【００２２】  一般のロールブラインドは、日除けや外部等の遮断が目的で、ロールブラインド幕で窓を覆った時、左右が開いしまう為、光が漏れたり断熱効果が無くなる。
本考案のロールブラインド幕装置Ａは窓枠Ａ１にはめ込んで固定して使用するものである。本考案のロールブラインド幕装置Ａは、上部にロールブラインド幕１を巻取る巻取り軸６を付帯してある。ロールブラインド幕１の左右にサイドガイド枠２を設置する。そのサイドガイド枠２のガイド溝５にロールブラインド幕１を通します。ロールブラインド幕１の両端部にはガイド穴４を設け（図３参照）、サイドガイド枠２とロールブラインド幕１が離脱しない様にサイドガイド枠２の内部に歯車３を装着してサイドガイド枠２とロールブラインド幕１を嵌合する。歯車３やロールブラインド幕１のガイド穴４も上下に配列している。歯車３と歯車３の間隔はロールブラインド幕１の材質や厚さによって異なる。歯車３はロールブラインド幕１に対して９０度で嵌合する（図８参照）。
【００２３】  断熱効果を保つには、ロールブラインド幕１の左右に開いた隙間を閉じれば光を遮断する事が出来る。
また、断熱効果も格段と上がる。
【００２４】  前記のロールブラインド幕１の幅方向端部に幅約１．５ｍｍ×縦約４ｍｍのガイド穴を６〜８ｍｍ間隔で上下に配列する（図３参照）。ガイド穴４と歯車３とを嵌合させる。ガイド穴４と歯車３は上から下まで設けられている。歯車３の形状は色々と有り（図９参照）、歯車３と歯車３の間隔（図４参照）はロールブラインド幕１の材質により３〜１０ｃｍの間隔で施す事でロールブラインド幕１を嵌合する。
【００２５】  前記のロールブラインド幕１の厚さが薄い場合は、歯車３をロールブラインド幕１の左右に歯車３と歯車３で挟む様に設置すると確実に固定する事が出来る（図６参照）および（図７参照）。
【符号の説明】
【００２６】  １…ロールブラインド幕、２…サイドガイド枠、３…歯車、４…ガイド穴、５…ガイド溝、６…巻取り軸、Ａ…ロールブラインド幕装置、Ａ１…窓枠
【図１】
0003215017.tif 000003
【図２】
0003215017.tif 000004
【図３】
0003215017.tif 000005
【図４】
0003215017.tif 000006
【図５】
0003215017.tif 000007
【図６】
0003215017.tif 000008
【図７】
0003215017.tif 000009
【図８】
0003215017.tif 000010
【図９】
0003215017.tif 000011